(57)【要約】      （修正有）【課題】リング綴じ可能なリング製本印刷装置を決定する。【解決手段】リング製本印刷システムは、リング製本印刷装置でリング綴じを行う際に使用するリング部材のリング情報をリング製本印刷装置の情報に対応付けて記憶するリング情報記憶部１２４と、印刷を行う印刷枚数を設定する印刷枚数設定部１２５と、印刷枚数設定部１２５で設定された印刷枚数に対応する用紙束の厚さを算出する用紙束厚さ算出部１２６と、リング情報記憶部１２４に記憶されたリング情報を参照し、用紙束厚さ算出部１２６で算出した用紙束厚さでリング綴じ可能なリング情報のリング製本印刷装置を決定するリング製本印刷装置決定部１２７と、を有する。【選択図】図２
2016155299.tif 000002
【特許請求の範囲】
【請求項１】
リング製本印刷装置でリング綴じを行う際に使用するリング部材のリング情報を前記リング製本印刷装置の情報に対応付けて記憶するリング情報記憶手段と、
印刷を行う印刷枚数を設定する印刷枚数設定手段と、
前記印刷枚数設定手段で設定された印刷枚数に対応する用紙束の厚さを算出する用紙束厚さ算出手段と、
前記リング情報記憶手段に記憶されたリング情報を参照し、前記用紙束厚さ算出手段で算出した用紙束厚さでリング綴じ可能なリング情報のリング製本印刷装置を決定するリング製本印刷装置決定手段と、
を有することを特徴とするリング製本印刷システム。
【請求項２】
前記リング製本印刷装置でリング綴じ可能な印刷枚数を調整し、該調整した印刷枚数でリング綴じ可能なリング製本印刷装置を決定する印刷枚数調整手段を有することを特徴とする請求項１記載のリング製本印刷システム。
【請求項３】
前記印刷枚数調整手段は、
前記リング製本印刷装置の前記リング部材のリング厚さを調整する手段と、
印刷に使用する用紙の用紙重量を変更する手段と、
１枚の用紙に印刷する印刷ページ数を変更する手段と、の少なくとも１つの手段により、前記リング製本印刷装置でリング綴じ可能な印刷枚数を調整する、ことを特徴とする請求項２記載のリング製本印刷システム。
【請求項４】
前記印刷枚数調整手段は、
前記リング製本印刷装置決定手段で決定されたリング製本印刷装置のリング部材よりも小さいリング部材でリング綴じ可能なリング製本印刷装置がある場合は、前記リング製本印刷装置決定手段で決定されたリング製本印刷装置を前記小さいリング部材のリング製本印刷装置に変更する、ことを特徴とする請求項２または３記載のリング製本印刷システム。
【請求項５】
リング製本印刷装置を有して構成するリング製本印刷システムで行う印刷方法であって、
印刷を行う印刷枚数を設定する印刷枚数設定工程と、
前記印刷枚数設定工程で設定された印刷枚数に対応する用紙束の厚さを算出する用紙束厚さ算出工程と、
前記リング製本印刷装置でリング綴じを行う際に使用するリング部材のリング情報を前記リング製本印刷装置の情報に対応付けて記憶するリング情報記憶手段を参照し、前記用紙束厚さ算出工程で算出した用紙束厚さでリング綴じ可能なリング情報のリング製本印刷装置を決定するリング製本印刷装置決定工程と、
を有することを特徴とする印刷方法。
【請求項６】
印刷を行う印刷枚数を設定する印刷枚数設定手段と、
前記印刷枚数設定手段で設定された印刷枚数に対応する用紙束の厚さを算出する用紙束厚さ算出手段と、
リング製本印刷装置でリング綴じを行う際に使用するリング部材のリング情報を前記リング製本印刷装置の情報に対応付けて記憶するリング情報記憶手段を参照し、前記用紙束厚さ算出手段で算出した用紙束厚さでリング綴じ可能なリング情報のリング製本印刷装置を決定するリング製本印刷装置決定手段と、
を有することを特徴とする情報処理装置。
【請求項７】
印刷を行う印刷枚数を設定する印刷枚数設定処理と、
前記印刷枚数設定処理で設定された印刷枚数に対応する用紙束の厚さを算出する用紙束厚さ算出処理と、
リング製本印刷装置でリング綴じを行う際に使用するリング部材のリング情報を前記リング製本印刷装置の情報に対応付けて記憶するリング情報記憶手段を参照し、前記用紙束厚さ算出処理で算出した用紙束厚さでリング綴じ可能なリング情報のリング製本印刷装置を決定するリング製本印刷装置決定処理と、
をコンピュータに実行させることを特徴とするプログラム。
【発明の詳細な説明】
【技術分野】
【０００１】
本発明は、リング綴じ製本を行う技術に関する。
【背景技術】
【０００２】
用紙の後処理として、例えば、リング綴じ製本を行うリング製本印刷装置がある。リング製本印刷装置は、各種のリング部材を有しており、そのリング部材を用いてリング綴じを行うことになる。この場合、用紙束の厚さに応じた最適なリング部材を用いてリング綴じを行うことが望ましい。このため、印刷枚数に応じてリング製本可能なリング製本印刷装置を選択する技術がある。
【０００３】
例えば、特許文献１（特開２０１１−６４８０１号公報）には、出力用紙枚数がリング部材の許容枚数を超過した場合に、他のプリンタでリング綴じが可能であれば、そのリング綴じが可能なプリンタに処理を代行させる技術について開示されている。
【発明の概要】
【発明が解決しようとする課題】
【０００４】
特許文献１では、他のプリンタでリング綴じが可能であれば、そのリング綴じが可能なプリンタに処理を代行することができる。しかし、特許文献１の方法では、リング綴じが可能なプリンタに印刷ジョブを再送しなければならず、印刷効率が非常に悪い。また、特許文献１の方法では、リング綴じ可能なプリンタがない場合は、リング綴じができない。
【０００５】
本発明の目的は、リング綴じ可能なリング製本印刷装置を決定することである。
【課題を解決するための手段】
【０００６】
本発明にかかるリング製本印刷システムは、
リング製本印刷装置でリング綴じを行う際に使用するリング部材のリング情報を前記リング製本印刷装置の情報に対応付けて記憶するリング情報記憶手段と、
印刷を行う印刷枚数を設定する印刷枚数設定手段と、
前記印刷枚数設定手段で設定された印刷枚数に対応する用紙束の厚さを算出する用紙束厚さ算出手段と、
前記リング情報記憶手段に記憶されたリング情報を参照し、前記用紙束厚さ算出手段で算出した用紙束厚さでリング綴じ可能なリング情報のリング製本印刷装置を決定するリング製本印刷装置決定手段と、
を有することを特徴とする。
【発明の効果】
【０００７】
本発明によれば、リング綴じ可能なリング製本印刷装置を決定することができる。
【図面の簡単な説明】
【０００８】
【図１】本実施形態のリング製本印刷システムのシステム構成例を示す図である。
【図２】本実施形態のホストコンピュータ１００の構成例を示す図である。
【図３】本実施形態のリング製本印刷装置２００の構成例を示す図である。
【図４】リング部材と用紙束厚さとの関係を示す図である。
【図５】ホストコンピュータ１００の処理動作例を示す図である。
【図６】リング製本印刷装置決定処理の処理動作例を示す図である。
【図７】印刷枚数調整処理の処理動作例を示す図である。
【図８】印刷枚数調整ＵＩの画面例を示す図である。
【図９】リング厚さ調整処理の処理動作例を示す図である。
【図１０】用紙重量変更処理の処理動作例を示す図である。
【図１１】面付設定変更処理の処理動作例を示す図である。
【図１２】第２の実施形態の処理動作例を示す図である。
【図１３】リング部材小サイズ変更処理の処理動作例を示す図である。
【発明を実施するための形態】
【０００９】
（本発明の一態様にかかるリング製本印刷システムの実施形態の概要）
まず、図１、図２、図５を参照しながら、本発明の一態様にかかるリング製本印刷システムの実施形態の概要について説明する。図１、図２は、本発明の一態様にかかるリング製本印刷システムのシステム構成例を示す図である。図５は、本発明の一態様にかかるリング製本印刷システムの処理動作例を示す図である。
【００１０】
本発明の一態様にかかるリング製本印刷システムは、図１に示すように、リング製本印刷装置２００−１〜ｎ（ｎは、任意の整数）を有して構成する。本発明の一態様にかかるリング製本印刷システムは、図２に示すように、リング情報記憶部１２４、印刷枚数設定部１２５、用紙束厚さ算出部１２６、リング製本印刷装置決定部１２７を有して構成する。
【００１１】
リング情報記憶部１２４は、リング製本印刷装置２００−１〜ｎでリング綴じを行う際に使用するリング部材のリング情報をリング製本印刷装置２００−１〜ｎの情報に対応付けて記憶する。
【００１２】
印刷枚数設定部１２５は、印刷を行う印刷枚数を設定する。
【００１３】
用紙束厚さ算出部１２６は、印刷枚数設定部１２５で設定された印刷枚数に対応する用紙束の厚さを算出する。
【００１４】
リング製本印刷装置決定部１２７は、リング情報記憶部１２４に記憶されたリング情報を参照し、用紙束厚さ算出部１２６で算出した用紙束厚さでリング綴じ可能なリング情報のリング製本印刷装置を決定する。
【００１５】
本発明の一態様にかかるリング製本印刷システムは、印刷枚数設定部１２５で設定された印刷枚数に対応する用紙束の厚さを算出する。そして、リング情報記憶部１２４に記憶されたリング情報を参照し、その算出した用紙束厚さでリング綴じ可能なリング情報のリング製本印刷装置を決定する。
【００１６】
このため、本発明の一態様にかかるリング製本印刷システムは、印刷設定時にリング綴じ可能なリング製本印刷装置を決定することができる。その結果、リング製本印刷装置に印刷ジョブを送信する前に、リング綴じ可能なリング製本印刷装置を決定し、印刷ジョブを再送することがない。従って、印刷効率を向上させることができる。
【００１７】
また、本発明の一態様にかかるリンク製本印刷システムは、印刷枚数調整部１２８を有している。印刷枚数調整部１２８は、リング製本印刷装置でリング綴じ可能な印刷枚数を調整し、該調整した印刷枚数でリング綴じ可能なリング製本印刷装置を決定する。これにより、印刷枚数設定部１２５で設定した印刷枚数でリング綴じ可能なリング製本印刷装置が決定できなかった場合でも、印刷枚数を調整し、該調整した印刷枚数でリング綴じ可能なリング製本印刷装置を決定することができる。
【００１８】
なお、図２に示す構成は、リング製本印刷システムを構成する情報処理装置の一例であるホストコンピュータ１００の構成例を示している。図２では、ホストコンピュータ１００が、リング情報記憶部１２４、印刷枚数設定部１２５、用紙束厚さ算出部１２６、リング製本印刷装置決定部１２７、印刷枚数調整部１２８を有して構成している。しかし、本発明の一態様にかかるリング製本印刷システムは、システム全体として、各部１２４、１２５、１２６、１２７、１２８を有して構成すればよく、各部の機能を有する装置を限定する必要はない。以下、添付図面を参照しながら、本発明の一態様にかかるリング製本印刷システムについて詳細に説明する。
【００１９】
（第１の実施形態）
＜リング製本印刷システムのシステム構成例＞
まず、図１を参照しながら、本実施形態のリング製本印刷システムのシステム構成例について説明する。図１は、本実施形態のリング製本印刷システムのシステム構成例を示す図である。
【００２０】
本実施形態のリング製本印刷システムは、ホストコンピュータ１００と、複数のリング製本印刷装置２００−１〜ｎ（ｎは、任意の整数を意味する）と、がネットワークＮＷを介して接続して構成する。ネットワークＮＷは、有線、無線を問わずあらゆる通信形態が適用可能である。
【００２１】
本実施形態のリング製本印刷システムは、ホストコンピュータ１００で印刷ジョブを生成する。そして、印刷対象のリング製本印刷装置２００−１〜ｎを決定する。そして、ホストコンピュータ１００は、ネットワークＮＷを介して印刷対象のリング製本印刷装置２００−１〜ｎに印刷ジョブを送信する。そして、リング製本印刷装置２００−１〜ｎは、ホストコンピュータ１００から受け付けた印刷ジョブを基に用紙に印刷を行い、リング綴じ製本を行う。
【００２２】
＜ホストコンピュータ１００の構成例＞
次に、図２を参照しながら、本実施形態のホストコンピュータ１００の構成例について説明する。図２は、本実施形態のホストコンピュータ１００の構成例を示す図である。
【００２３】
本実施形態のホストコンピュータ１００は、制御部１、記憶部２、表示部３を有して構成する。制御部１は、ホストコンピュータ１００を制御する。制御部１は、アプリケーションソフトウェア１１、印刷ジョブ生成ソフトウェア１２、印刷スプーラ１３を有して構成する。
【００２４】
アプリケーションソフトウェア１１は、画像データを作成する。印刷ジョブ生成ソフトウェア１２は、アプリケーションソフトウェア１１で作成した画像データを基に印刷ジョブを生成する。印刷スプーラ１３は、印刷ジョブ生成ソフトウェア１２で生成した印刷ジョブをリング製本印刷装置２００−１〜ｎに送信する。
【００２５】
印刷ジョブ生成ソフトウェア１２は、ユーザインタフェイス部１２１、印刷ジョブ生成処理部１２２を有して構成する。また、リング情報取得部１２３、リング情報記憶部１２４、印刷枚数設定部１２５、用紙束厚さ算出部１２６、リング製本印刷装置決定部１２７、印刷枚数調整部１２８を有して構成する。
【００２６】
ユーザインタフェイス部１２１は、印刷形式を設定するためにユーザとのインタフェイスを取り持つ。例えば、印刷形式を設定するためのＵＩ画面を表示部３に表示し、印刷形式を設定するための各種情報を取得する。
【００２７】
印刷ジョブ生成処理部１２２は、印刷形式を設定するための各種情報に基づき印刷ジョブを生成する。
【００２８】
リング情報取得部１２３は、リング綴じ可能なリング製本印刷装置２００−１〜ｎを決定する際に使用するリング情報をネットワークＮＷを介して各リング製本印刷装置２００−１〜ｎから取得する。
【００２９】
リング情報記憶部１２４は、リング情報取得部１２３が取得した各リング製本印刷装置２００−１〜ｎのリング情報をリング製本印刷装置２００−１〜ｎに対応付けて記憶する。リング情報については後述する。
【００３０】
印刷枚数設定部１２５は、印刷を行う印刷枚数を設定する。
【００３１】
用紙束厚さ算出部１２６は、印刷枚数設定部１２５で設定された印刷枚数と、印刷に使用する用紙の用紙重量に対する用紙厚さと、を基に、印刷に必要な用紙束厚さを算出する。
【００３２】
リング製本印刷装置決定部１２７は、リング情報記憶部１２４に記憶されたリング情報を参照する。そして、用紙束厚さ算出部１２６で算出される用紙束厚さと、リング情報記憶部１２４に記憶された各リング製本印刷装置２００−１〜ｎのリング情報と、を基に、リング綴じ可能なリング製本印刷装置を決定する。
【００３３】
印刷枚数調整部１２８は、印刷枚数を調整し、該調整した印刷枚数でリング綴じ可能なリング製本装置を決定する。
【００３４】
記憶部２は、各種情報を記憶する。表示部３は、各種情報を表示する。
【００３５】
＜リング製本印刷装置２００−１〜ｎの構成例＞
次に、図３を参照しながら、本実施形態のリング製本印刷装置２００−１〜ｎの構成例について説明する。リング製本印刷装置２００−１〜ｎは、同様の構成例であるため、リング製本印刷装置２００として説明する。
【００３６】
本実施形態のリング製本印刷装置２００は、印刷装置２１０、リング製本装置２２０を有して構成する。
【００３７】
印刷装置２１０は、ホストコンピュータ１００から送信された印刷ジョブを基に、用紙に印刷する。リング製本装置２２０は、印刷装置２１０で印刷された用紙を束ね、パンチ穴を開けてリング部材で用紙束を綴じる。
【００３８】
図４は、用紙束２４０をリング部材２３０でリング綴じした印刷物を真横から見たイメージ図である。図４において２３１は、リング部材２３０で用紙束を綴じる際の標準リング厚さを示す。２３２は、標準リング厚さ２３１に対し、リング部材２３０で許容可能な用紙厚さを加えた最大リング厚さを示す。２３３は、リング部材２３０の内径を示す。最大リング厚さ２３２は、リング綴じ可能な厚さの上限値であり、リング部材２３０の内径２３３以下となる。
【００３９】
本実施形態のリング製本印刷装置２００は、リング部材２３０に対応する標準リング枚数、標準リング厚さ２３１、最大リング厚さ２３２の情報を管理する。標準リング枚数は、リング部材２３０で綴じる標準的な用紙枚数を意味し、予め規定されている。そして、ホストコンピュータ１００からのリング情報取得要求に応じて、リング製本印刷装置２００で用いるリング部材２３０に対応するリング情報をホストコンピュータ１００に送信する。本実施形態のホストコンピュータ１００は、各リング製本印刷装置２００−１〜ｎからリング情報を取得し、その取得したリング情報を基に、各リング製本印刷装置２００−１〜ｎの中からリング綴じ可能なリング製本印刷装置を決定する。以下、リング綴じ可能なリング製本印刷装置を決定する処理動作例について詳細に説明する。
【００４０】
＜ホストコンピュータ１００の処理動作例＞
次に、図５を参照しながら、本実施形態のホストコンピュータ１００の処理動作例について説明する。
【００４１】
ホストコンピュータ１００の制御部１は、アプリケーションソフトウェア１１を起動し、画像データを作成する。アプリケーションソフトウェア１１で作成した画像データを印刷する場合は、制御部１は、印刷ジョブ生成ソフトウェア１２を起動し、図５に示す処理を開始し、印刷実行するリング製本印刷装置を決定することになる。
【００４２】
まず、印刷ジョブ生成ソフトウェア１２は、ＵＩ設定要求を受け付けた場合は（Ｓ５０１／ＹＥＳ）、ユーザインタフェイス部１２１が印刷設定ＵＩを表示部３に表示し（Ｓ５０２）、ユーザ入力を促す。ユーザは、印刷物に対してリング製本を行う場合は、印刷設定ＵＩ上でリング製本機能をＯＮ指定することになる。
【００４３】
印刷設定ＵＩ上でリング製本機能がＯＮ指定された場合は（Ｓ５０４／ＹＥＳ）、リング情報取得部１２３は、リング情報取得要求をネットワークＮＷを介して各リング製本印刷装置２００−１〜ｎに送信する。そして、リング情報取得部１２３は、各リング製本印刷装置２００−１〜ｎからリング情報（標準リング枚数、標準リング厚さ２３１、最大リング厚さ２３２の情報）を取得する（Ｓ５０５）。リング情報取得部１２３は、各リング製本印刷装置２００−１〜ｎから取得したリング情報を昇順（標準リング枚数の値の小さい順）に並べ替え、リング情報記憶部１２４に保存する（Ｓ５０６）。これにより、標準リング枚数の値の小さい順に各リング製本印刷装置のリング情報が記憶されることになる。
【００４４】
次に、印刷ジョブの用紙束を算出するため、印刷枚数設定部１２５は、モーダル形式の印刷枚数入力画面を表示部３に表示する（Ｓ５０７）。これにより、ユーザは、印刷を行う印刷枚数を設定することになる。印刷枚数入力画面から印刷枚数が入力された場合は（Ｓ５０９／ＹＥＳ）、用紙束厚さ算出部１２６は、入力された印刷枚数と、印刷に使用する用紙重量に対する用紙厚さと、を基に、リング綴じに必要な用紙束厚さを算出し、記憶部２に保存する（Ｓ５１０）。
【００４５】
次に、リング製本印刷装置決定部１２７は、リング情報記憶部１２４に保存したリング情報と、用紙束厚さ算出部１２６が算出した用紙束厚さと、を基に、リング製本印刷装置決定処理で印刷に使用するリング製本印刷装置を決定する（Ｓ５１１）。Ｓ５１１の詳細な処理動作は後述する。
【００４６】
Ｓ５１１で印刷に使用するリング製本印刷装置が決定した場合、即ち、リング製本印刷装置決定モードがＯＮの場合は（Ｓ５１２／ＮＯ）、印刷実行するリング製本印刷装置としてＳ５１１で決定したリング製本印刷装置を選択する（Ｓ５１６）。しかし、印刷に使用するリング製本印刷装置が決定しなかった場合、即ち、リング製本印刷装置決定モードがＯＦＦの場合は（Ｓ５１２／ＹＥＳ）、印刷枚数調整処理にて印刷枚数を調整し、リング製本可能なリング製本印刷装置を決定する（Ｓ５１３）。Ｓ５１３の詳細な処理動作は後述する。
【００４７】
Ｓ５１３の印刷枚数調整処理で印刷に使用するリング製本印刷装置が決定した場合、即ち、印刷枚数調整不可モードがＯＦＦの場合は（Ｓ５１４／ＮＯ）、印刷実行するリング製本印刷装置としてＳ５１３で決定したリング製本印刷装置を選択する（Ｓ５１６）。しかし、Ｓ５１３の印刷枚数調整処理で印刷に使用するリング製本印刷装置が決定しなかった場合、即ち、印刷枚数調整不可モードがＯＮの場合は（Ｓ５１４／ＹＥＳ）、リング綴じ不可のため、リング製本機能をＯＦＦにする（Ｓ５１５）。
【００４８】
なお、印刷設定ＵＩ上でリング製本機能以外の印刷設定が指定された場合は（Ｓ５０４／ＮＯ）、印刷設定ＵＩ上で指定されたその他の印刷設定を行うことになる（ステップＳ５０８）。
【００４９】
印刷設定ＵＩ上でのＵＩ入力が終了した場合は（Ｓ５１７／ＹＥＳ）、ＵＩ入力した印刷設定値を記憶部２に保存し（Ｓ５１８）、処理を終了する（ＥＮＤ）。
【００５０】
なお、Ｓ５０１の判定でＵＩ設定要求ではなく、印刷要求を受け付けた場合は（Ｓ５０１／ＮＯ）、印刷ジョブ生成処理部１２２は、記憶部２に保存したＵＩ入力した印刷設定値に基づき、印刷ジョブを生成し、印刷スプーラ１３に出力する（Ｓ５０３）。そして、処理を終了する（ＥＮＤ）。
【００５１】
印刷スプーラ１３は、印刷ジョブ生成処理部１２２から出力された印刷ジョブを一時的に保存し、Ｓ５１６で選択したリング製本印刷装置２００−１〜ｎに送信し、リング製本印刷装置２００−１〜ｎで印刷及びリング綴じを行うことになる。
【００５２】
＜Ｓ５１１のリング製本印刷装置決定処理の具体的な処理動作例＞
次に、図６を参照しながら、Ｓ５１１のリング製本印刷装置決定処理の具体的な処理動作例について説明する。リング製本印刷装置決定処理は、リング情報記憶部１２４に保存したリング情報と、用紙束厚さ算出部１２６が算出した用紙束厚さと、を基に、印刷に使用するリング製本印刷装置を決定することになる。
【００５３】
まず、リング製本印刷装置決定部１２７は、初期設定として、リング製本印刷装置決定モードをＯＦＦに設定し（Ｓ６０１）、装置インデックスiを１に設定する（Ｓ６０２）。リング製本印刷装置決定モードは、リング製本印刷装置の決定可否状態を表すものである。リング製本印刷装置決定モードがＯＦＦの場合は、印刷に使用するリング製本印刷装置が決定されていない状態を示す。リング製本印刷装置決定モードがＯＮの場合は、印刷に使用するリング製本印刷装置が決定された状態を示す。装置インデックスiは、リング製本印刷装置のインデックスを表し、リング情報記憶部１２４に記憶されたリング製本印刷装置の順番を意味する。
【００５４】
次に、リング製本印刷装置決定部１２７は、リング情報記憶部１２４の装置i（１〜Ｎ）のリング情報を参照し、標準リング厚さに、装置ｉの標準リング厚さを設定し、標準リング枚数に、装置ｉの標準リング枚数を設定する（Ｓ６０３）。例えば、最初は、標準リング厚さに装置１の標準リング厚さを設定し、標準リング枚数に装置１の標準リング枚数を設定する。
【００５５】
次に、リング製本印刷装置決定部１２７は、用紙束厚さ算出部１２６が算出した用紙束厚さと、Ｓ６０３で設定した標準リング厚さと、を比較し、標準リング厚さが用紙束厚さよりも小さいか否かを判定する（Ｓ６０４）。標準リング厚さが用紙束厚さよりも小さい場合は（Ｓ６０４／ＹＥＳ）、リング綴じ不可能なため、装置インデックスｉを＋１する（Ｓ６０５）。そして、装置インデックスｉがＮより小さいか否かを判定し（Ｓ６０６）、装置インデックスｉがＮより小さい場合は（Ｓ６０６／ＹＥＳ）、Ｓ６０３の処理に移行する。そして、次の装置iのリング情報を参照し、標準リング厚さに、装置ｉの標準リング厚さを設定し、標準リング枚数に、装置ｉの標準リング枚数を設定する（Ｓ６０３）。
【００５６】
Ｓ６０６の判定において装置インデックスｉがＮの場合は（Ｓ６０６／ＮＯ）、リング綴じ可能なリング製本印刷装置がないため、未決定時の装置インデックスを記憶部２に保存し、装置決定インデックスにＮを設定する（Ｓ６０９）。そして、処理を終了する（ＥＮＤ）。これにより、リング製本印刷装置決定処理でリング綴じ可能なリング製本印刷装置が決定されなかった場合は、標準リング枚数が最大のリング製本印刷装置Ｎが装置決定インデックスに設定されることになる。
【００５７】
Ｓ６０４の判定で、標準リング厚さが用紙束厚さ以上の場合は（Ｓ６０４／Ｎｏ）、リング綴じ可能なため、リング製本印刷装置決定モードをＯＮに設定する（Ｓ６０７）。そして、印刷するリング製本印刷装置を現在のi番目の装置に決定し、装置決定インデックスにｉを設定する（Ｓ６０８）。そして、処理を終了する（ＥＮＤ）。これにより、リング製本印刷装置決定処理でリング綴じ可能なリング製本印刷装置が決定された場合は、その決定されたリング製本印刷装置ｉが装置決定インデックスに設定されることになる。
【００５８】
＜Ｓ５１３の印刷枚数調整処理の具体的な処理動作例＞
次に、図７を参照しながら、Ｓ５１３の印刷枚数調整処理の具体的な処理動作例について説明する。Ｓ５１３の印刷枚数調整処理は、Ｓ５１１のリング製本印刷装置決定処理でリング製本印刷不可となった場合に、印刷枚数を調整することで、リング綴じ可能なリング製本印刷装置を決定する処理フローである。
【００５９】
まず、印刷枚数調整部１２８は、調整装置インデックスに装置決定インデックスを初期設定する（Ｓ７０１）。調整装置インデックスは、印刷枚数を調整した際に決定した装置インデックスを保存しておくものである。
【００６０】
次に、印刷枚数調整部１２８は、印刷枚数調整ＵＩを表示部３に表示し（Ｓ７０２）、印刷枚数調整項目（リング厚さ調整項目・用紙重量変更項目・面付設定変更項目）をユーザに選択してもらう。
【００６１】
印刷枚数調整項目が選択された場合は（Ｓ７０３／ＹＥＳ）、リング厚さ調整項目、用紙重量変更項目、面付設定変更項目が選択されたかを判定する（Ｓ７０４、Ｓ７０６、Ｓ７０８）。
【００６２】
リング厚さ調整項目が選択された場合は（Ｓ７０４／ＹＥＳ）、印刷枚数調整部１２８は、リング厚さ調整処理を実行する（Ｓ７０５）。Ｓ７０５の詳細な処理動作は後述する。
【００６３】
用紙重量変更項目が選択された場合は（Ｓ７０６／ＹＥＳ）、印刷枚数調整部１２８は、用紙重量変更処理を実行する（Ｓ７０７）。Ｓ７０７の詳細な処理動作は後述する。
【００６４】
面付設定変更項目が選択された場合は（Ｓ７０８／ＹＥＳ）、印刷枚数調整部１２８は、面付設定変更処理を実行する（Ｓ７０９）。Ｓ７０９の詳細な処理動作は後述する。
【００６５】
ＵＩ入力が終了していない場合は（Ｓ７１０／ＮＯ）、Ｓ７０３に移行し、引き続き入力設定を継続する。ＵＩ入力が終了した場合は（Ｓ７１０／ＹＥＳ）、印刷枚数調整部１２８は、印刷枚数調整不可モードがＯＮか否かを判定する（Ｓ７１１）。印刷枚数調整不可モードがＯＦＦであれば（Ｓ７１１／ＮＯ）、装置決定インデックスに印刷枚数調整で決定した調整装置インデックスを設定し（Ｓ７１２）、処理を終了する（ＥＮＤ）。
【００６６】
図８は、上述した図７に示す印刷枚数調整処理のＳ７０２で表示する印刷枚数調整ＵＩのイメージ図である。
【００６７】
図８には、印刷枚数調整項目として、「リング厚さ調整８０１」、「用紙重量変更８０３」、「面付設定変更８０５」の３つがあり、それぞれＣｈｅｃｋＢｏｘ形式でチェックすることによって個々の設定を指定できるようになっている。また、個々の設定を行うことによって、調整後の印刷可能枚数８０８およびリング製本可能となるリング製本印刷装置８０９をそれぞれＵＩ表示する。以下に、印刷枚数調整項目に対し、それぞれ入力設定した場合の表示値例を示す。なお、リング製本印刷装置Ａ、Ｂのリング情報は以下に示す情報とし、１１０ページの印刷データを以下の印刷設定でリング製本印刷するものとする。
【００６８】
リング製本印刷装置Ａのリング情報
標準リング枚数：50枚、標準リング厚さ：5mm、最大リング厚さ：6mm
リング製本印刷装置Ｂのリング情報
標準リング枚数：100枚、標準リング厚さ：10mm、最大リング厚さ：12mm
【００６９】
印刷設定
用紙重量：55kg（0.1mm）、リング製本機能ＯＮ、片面印刷、N-up：1（それ以外は初期設定）
【００７０】
＜印刷枚数調整項目：リング厚さ調整の場合＞
最大許容量              →  最大許容量（0〜2mm）：1mm
印刷可能枚数            →  110枚；調整リング厚さ11mm÷0.1mm/枚
＝110枚
リング製本可能となるリング製本印刷装置      →  リング製本印刷装置Ｂ
【００７１】
＜印刷枚数調整項目：用紙重量変更の場合＞
用紙重量                →  44kg；44kg＝0.08mm
印刷可能枚数            →  125枚；標準リング枚数100×用紙厚比率1.25＝125枚、用紙厚比率0.1÷0.08＝1.25
リング製本可能となるリング製本印刷装置      →  リング製本印刷装置Ｂ
【００７２】
＜印刷枚数調整項目：面付設定変更の場合＞
＜両面＞
両面                    →  左開き
印刷可能枚数            →  200枚；標準リング枚数100×2＝200枚
リング製本可能となるリング製本印刷装置      →  リング製本印刷装置Ｂ
【００７３】
＜N-up＞
N-up                    →  2
印刷可能枚数            →  200枚；標準リング枚数100×2＝200枚
リング製本可能となるリング製本印刷装置      →  リング製本印刷装置Ｂ
【００７４】
＜Ｓ７０５のリング厚さ調整処理の具体的な処理動作例＞
次に、図９を参照しながら、Ｓ７０５のリング厚さ調整処理の具体的な処理動作例について説明する。図９は、標準リング厚さから最大リング厚さまで許容可能とした場合に、そのリング厚さで印刷可能かを確認するリング厚さ調整処理である。
【００７５】
まず、印刷枚数調整部１２８は、図８に示す最大許容量８０２のＵＩを有効とし、調整装置インデックスに対する装置の許容範囲をリング情報記憶部１２４から取得してＵＩ表示し（Ｓ９０１）、最大許容量ＵＩへのユーザ入力を待つ。
【００７６】
最大許容量のＵＩ項目が入力された場合は（Ｓ９０２／ＹＥＳ）、その入力値が最大許容量の範囲内か否かを判定する（Ｓ９０３）。入力値が最大許容量の範囲外の場合は（Ｓ９０３／ＮＯ）、ユーザに再入力を促す。入力値が最大許容量の範囲内の場合は（Ｓ９０３／ＹＥＳ）、現在の標準リング厚さに入力値を加えた値を調整リング厚さに設定する（Ｓ９０４）。調整リング厚さは、調整後の製本可能なリング厚さを意味する。また、上記Ｓ９０４で設定した調整リング厚さを１枚当たりの用紙厚さで割って印刷可能枚数を算出し（Ｓ９０５）、その算出した印刷可能枚数を図８に示す印刷可能枚数８０８のＵＩ項目に表示する（Ｓ９０６）。
【００７７】
次に、印刷枚数調整部１２８は、上記設定した調整リング厚さと、用紙束厚さ算出部１２６が算出した用紙束厚さと、を比較し、リング厚さ調整可能か判定する（Ｓ９０７）。
【００７８】
印刷枚数調整部１２８は、調整リング厚さが用紙束厚さよりも小さい場合は（Ｓ９０７／ＮＯ）、印刷枚数調整不可のため、リング製本印刷装置８０９のＵＩ項目になしを表示し（Ｓ９０８）、印刷枚数調整不可モードをＯＮに設定する（Ｓ９０９）。また、調整リング厚さが用紙束厚さ以上の場合は（Ｓ９０７／ＹＥＳ）、リング製本印刷装置８０９のＵＩ項目に調整装置インデックスに対する装置名を表示し（Ｓ９１０）、印刷枚数調整不可モードをＯＦＦに設定する（Ｓ９１１）。
【００７９】
＜Ｓ７０７の用紙重量変更処理の具体的な処理動作例＞
次に、図１０を参照しながら、Ｓ７０７の用紙重量変更処理の具体的な処理動作例について説明する。図１０は、現設定より小さい用紙重量でリング製本印刷を可能とした場合に、その小さい用紙重量で印刷可能かを確認する用紙重量変更処理である。
【００８０】
まず、印刷枚数調整部１２８は、図８に示す用紙重量変更８０３のＵＩを有効とし、現設定より小さい用紙重量をＵＩ項目の選択肢へ追加し（Ｓ１００１）、用紙重量ＵＩへのユーザ入力を待つ。
【００８１】
用紙重量のＵＩ項目から選択された場合は（Ｓ１００２／ＹＥＳ）、印刷枚数調整部１２８は、その選択された用紙重量の用紙厚さを変更用紙厚さに設定する（Ｓ１００３）。変更用紙厚さは、変更後の用紙厚さを示す。また、印刷枚数調整部１２８は、現用紙厚さを変更用紙厚さで割った値を用紙厚比率に設定する（Ｓ１００４）。また、印刷枚数調整部１２８は、標準リング枚数に用紙厚比率を乗算した値を印刷可能枚数に設定する（Ｓ１００５）。そして、印刷可能枚数８０８のＵＩ項目に表示する（Ｓ１００６）。
【００８２】
次に、印刷枚数調整部１２８は、上記設定した印刷可能枚数と、印刷ジョブの印刷枚数と、を比較し、用紙重量変更によるリング製本印刷が可能か否かを判定する（Ｓ１００７）。
【００８３】
印刷ジョブの印刷枚数が用紙重量変更による印刷可能枚数より大きい場合は（Ｓ１００７／ＮＯ）、印刷枚数調整不可のため、リング製本印刷装置８０９のＵＩ項目になしを表示し（Ｓ１００８）、印刷枚数調整不可モードをＯＮに設定する（Ｓ１００９）。また、印刷ジョブの印刷枚数が用紙重量変更による印刷可能枚数以下の場合は（Ｓ１００７／ＹＥＳ）、リング製本印刷装置８０９のＵＩ項目に調整装置インデックスに対する装置名を表示する（Ｓ１０１０）。そして、印刷枚数調整不可モードをＯＦＦに設定する（Ｓ１０１１）。
【００８４】
＜Ｓ７０９の面付設定変更処理の具体的な処理動作例＞
次に、図１１を参照しながら、Ｓ７０９の面付設定変更処理の具体的な処理動作例について説明する。図１１は、印刷枚数が少なくなる面付設定の変更によりリング製本印刷を可能とした場合に、その面付変更により印刷可能かを確認する面付設定変更処理である。面付設定変更処理は、１枚の用紙に印刷する印刷ページ数を変更する処理である。
【００８５】
まず、印刷枚数調整部１２８は、図８に示す面付設定変更８０５の各設定である両面８０６およびN-up８０７のＵＩを、印刷枚数が少なくなる選択肢がある場合に有効とする。そして、各ＵＩの印刷枚数が少なくなる設定値を表示し（Ｓ１１０１）、各ＵＩへのユーザ入力を待つ。
【００８６】
両面８０６のＵＩで両面印刷が指定された場合は（Ｓ１１０２／ＹＥＳ）、標準リング枚数を２倍し、印刷可能枚数を算出し（Ｓ１１０３）、印刷可能枚数８０８のＵＩ項目に表示する（Ｓ１１０４）。
【００８７】
また、N-up８０７のＵＩでN-up値が指定された場合は（Ｓ１１０２／ＮＯ）、標準リング枚数にN-up値を乗算し、印刷可能枚数を算出し（Ｓ１１０５）、印刷可能枚数８０８のＵＩ項目に表示する（Ｓ１１０６）。
【００８８】
ＵＩ入力が終了した場合は（Ｓ１１０７／ＹＥＳ）、印刷枚数調整部１２８は、上記設定した印刷可能枚数と、印刷ジョブの印刷枚数と、を比較し、面付設定変更によるリング製本印刷が可能か否かを判定する（Ｓ１１０８）。
【００８９】
印刷ジョブの印刷枚数が面付設定変更による印刷可能枚数より大きい場合は（Ｓ１１０８／ＮＯ）、印刷枚数調整不可のため、リング製本印刷装置８０９のＵＩ項目になしを表示し（Ｓ１１１０）、印刷枚数調整不可モードをＯＮに設定する（Ｓ１１１１）。また、印刷ジョブの印刷枚数が用紙重量変更による印刷可能枚数以下の場合は（Ｓ１１０８／ＹＥＳ）、リング製本印刷装置８０９のＵＩ項目に調整装置インデックスに対する装置名を表示する（Ｓ１１１２）。そして、印刷枚数調整不可モードをＯＦＦに設定する（Ｓ１１１３）。
【００９０】
＜本実施形態のリング製本印刷システムの作用・効果＞
このように、本実施形態のリング製本印刷システムは、ホストコンピュータ１００において、リング情報取得部１２３が、各リング製本印刷装置２００−１〜ｎのリング情報を取得し、リング情報記憶部１２４に保存する。この場合、リング情報記憶部１２４は、リング情報をリング製本印刷装置２００−１〜ｎに対応付けて保存する。次に、印刷枚数設定部１２５は、印刷枚数入力画面を表示部３に表示し、印刷を行う印刷枚数を設定する。用紙束厚さ算出部１２６は、印刷枚数設定部１２５により設定された印刷枚数と、印刷に使用する用紙重量に対する用紙厚さと、を基に印刷に必要な用紙束厚さを算出する。そして、リング製本印刷装置決定部１２７は、用紙束厚さ算出部１２６が算出した用紙束厚さと、リング情報記憶部１２４に記憶したリング情報と、を基に、リング綴じ可能なリング製本印刷装置を決定する。また、印刷枚数調整部１２８は、印刷枚数を調整し、リング綴じ可能なリング製本印刷装置を決定する。例えば、印刷枚数調整部１２８は、リング厚さを調整し、リング製本可能な印刷枚数を増やし、リング綴じ可能なリング製本印刷装置を決定する。具体的には、標準リング厚さと最大リング厚さとの差分である許容量の範囲でリング厚さを調整し、リング製本可能な印刷枚数を増やし、リング綴じ可能なリング製本印刷装置を決定することになる。また、印刷枚数調整部１２８は、用紙重量を変更し、リング製本可能な印刷枚数を増やし、リング綴じ可能なリング製本印刷装置を決定する。具体的には、用紙重量の小さい用紙種類を選択し、リング製本可能な印刷枚数を増やし、リング綴じ可能なリング製本印刷装置を決定することになる。また、印刷枚数調整部１２８は、面付設定を変更し、リング製本可能な印刷枚数を増やし、リング綴じ可能なリング製本印刷装置を決定する。具体的には、両面やNup等の面付設定を変更して１枚の用紙に印刷する印刷ページ数を変更し、リング製本可能な印刷枚数を増やし、リング綴じ可能なリング製本印刷装置を決定することになる。
【００９１】
これにより、本実施形態のリング製本印刷システムは、印刷ジョブをリング製本印刷装置に送信する前に、ホストコンピュータ１００上で印刷ジョブに合ったリング製本可能なリング製本印刷装置を決定することができる。このため、印刷ジョブを再送することを回避することができる。また、リング製本印刷装置でリング綴じ可能な印刷枚数を超過している場合でも、印刷枚数を調整し、リング綴じ可能なリング製本印刷装置を決定することができる。
【００９２】
（第２の実施形態）
次に、第２の実施形態について説明する。
【００９３】
第２の実施形態は、リング綴じ可能なリング製本印刷装置が決定した場合でも、その決定したリング製本印刷装置よりも小さいリング部材でリング綴じが可能な場合は、その小さいリング部材のリング製本印刷装置に変更してリング綴じを行う。図１２に示す処理動作例は、図５に示す処理動作例に対して、リング部材小サイズ変更処理（Ｓ５１９）を追加している。これにより、１サイズ下のリング部材に変更することができる。Ｓ５１９の詳細な処理動作例を図１３に示す。
【００９４】
まず、印刷枚数調整部１２８は、リング製本印刷装置決定モードがＯＮか否かを判定する（Ｓ１３０１）。リング製本印刷装置決定モードがＯＮの場合は（Ｓ１３０１／ＹＥＳ）、決定したリング製本印刷装置の標準リング厚さを、決定リング厚さとして設定し（Ｓ１３０２）、装置インデックスｉ、及び、リング部材カウンタｎを１に初期化する（Ｓ１３０３）。
【００９５】
次に、リング情報記憶部１２４の装置ｉのリング情報を参照し、装置iの標準リング厚さを標準リング厚さに設定する（Ｓ１３０４）。次に、装置インデックスiが２以上であり（Ｓ１３０５／ＹＥＳ）、且つ、現在の装置ｉと１つ前の装置ｉ−１の標準リング厚さが異なる場合は（Ｓ１３０６／ＹＥＳ）、リング部材カウンタｎを＋１する（Ｓ１３０７）。しかし、それ以外の場合は（Ｓ１３０５／ＮＯ、Ｓ１３０６／ＮＯ）、何もしない。
【００９６】
次に、印刷枚数調整部１２８は、標準リング厚さと、上記設定した決定リング厚さと、を比較する（Ｓ１３０８）。そして、標準リング厚さが決定リング厚さより小さい場合は（Ｓ１３０８／ＹＥＳ）、装置インデックスｉを＋１する（Ｓ１３０９）。そして、装置インデックスが全リング製本印刷装置数Ｎになるまで（Ｓ１３１０／ＹＥＳ）、Ｓ１３０４〜Ｓ１３１０の処理を繰り返す。
【００９７】
また、Ｓ１３０８で標準リング厚さと決定リング厚さとが等しくなった場合は（Ｓ１３０８／ＮＯ）、ｎが２以上の場合は（Ｓ１３１１／ＹＥＳ）、現在より小さいリング部材があると判定する。この場合は、装置決定インデックスは一時的に記憶部２に保存した上で、１サイズ下の装置インデックスｉ−１を装置決定インデックスに設定する（Ｓ１３１２）。そして、１サイズ下の装置ｉ−１の標準リング厚さを標準リング厚さに設定し、装置ｉ−１の標準リング枚数を標準リング枚数に設定し（Ｓ１３１３）、印刷枚数調整処理を行う（Ｓ１３１４）。印刷枚数調整処理は、図７に示す処理を行うことになる。
【００９８】
次に、印刷枚数調整不可モードがＯＮか否かを判定し（Ｓ１３１５）、印刷枚数調整不可モードがＯＦＦ、即ち、印刷枚数調整可能であれば（Ｓ１３１５／ＮＯ）、そのまま現在の装置決定インデックスに対する装置で印刷を行う。また、印刷枚数調整不可モードがＯＮ、即ち、印刷枚数調整不可能であれば（Ｓ１３１５／ＹＥＳ）、リング製本印刷装置決定処理で設定した装置で印刷実行するため、装置決定インデックスを戻す（Ｓ１３１６）。
【００９９】
＜本実施形態のリング製本印刷システムの作用・効果＞
このように、本実施形態のリング製本印刷システムは、決定したリング製本印刷装置よりも小さいリング部材でリング綴じが可能な場合は、その小さいリング部材のリング製本印刷装置に変更してリング綴じを行う。これにより、１サイズ下のリング部材に変更してリング綴じを行うことができる。
【０１００】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【０１０１】
例えば、上述した実施形態では、ホストコンピュータ１００側で一連の処理を行い、リング綴じ可能なリング製本印刷装置を決定することにしている。しかし、ネットワークＮＷに存在するサーバや、リング製本印刷装置２００−１〜ｎを介して上述した一連の処理を行うことも可能である。即ち、リング製本印刷システムとして上述した一連の処理動作を行い、リング綴じ可能なリング製本印刷装置を決定することも可能である。
【０１０２】
また、上述した本実施形態のホストコンピュータ１００を構成する各部の制御動作は、ハードウェア、または、ソフトウェア、あるいは、両者の複合構成を用いて実行することも可能である。
【０１０３】
なお、ソフトウェアを用いて処理を実行する場合には、処理シーケンスを記録したプログラムを、専用のハードウェアに組み込まれているコンピュータ内のメモリにインストールして実行させることが可能である。あるいは、各種処理が実行可能な汎用コンピュータ内のメモリにインストールして実行させることが可能である。
【０１０４】
例えば、プログラムは、記録媒体としてのハードディスクやＲＯＭ（Read Only Memory）に予め記録しておくことが可能である。あるいは、プログラムは、リムーバブル記録媒体に一時的、あるいは、永続的に記録しておくことが可能である。このようなリムーバブル記録媒体は、いわゆるパッケージソフトウエアとして提供することが可能である。リムーバブル記録媒体は、磁気ディスク、半導体メモリなどの各種記録媒体があげられる。
【０１０５】
なお、プログラムは、上述したようなリムーバブル記録媒体からコンピュータにインストールすることになる。また、ダウンロードサイトからコンピュータに無線転送することになる。また、ネットワークを介してコンピュータに有線で転送することになる。
【０１０６】
プログラムの形態としては、クラウド等によるネット上のサーバからの利用もありえる。一部のプログラムのみをコンピュータに転送して利用する形態もありえる。
【０１０７】
また、上記実施形態のホストコンピュータ１００を構成する各部は、上記実施形態で説明した処理動作に従って時系列的に処理を実行するだけに限定するものでない。例えば、処理を実行する装置の処理能力、あるいは、必要に応じて並列的にあるいは個別に処理を実行するように構築することも可能である。
【符号の説明】
【０１０８】
１００    ホストコンピュータ
２００−１〜ｎ    リング製本印刷装置
ＮＷ    ネットワーク
１    制御部
２    記憶部
３    表示部
１１    アプリケーションソフトウェア
１２    印刷ジョブ生成ソフトウェア
１３    印刷スプーラ
１２１    ユーザインタフェイス部
１２２    印刷ジョブ生成処理部
１２３    リング情報取得部
１２４    リング情報記憶部
１２５    印刷枚数設定部
１２６    用紙束厚さ算出部
１２７    リング製本印刷装置決定部
１２８    印刷枚数調整部
２１０    印刷装置
２２０    リング製本装置
【先行技術文献】
【特許文献】
【０１０９】
【特許文献１】特開２０１１−６４８０１号公報
【図１】
2016155299.tif 000003
【図２】
2016155299.tif 000004
【図３】
2016155299.tif 000005
【図４】
2016155299.tif 000006
【図５】
2016155299.tif 000007
【図６】
2016155299.tif 000008
【図７】
2016155299.tif 000009
【図８】
2016155299.tif 000010
【図９】
2016155299.tif 000011
【図１０】
2016155299.tif 000012
【図１１】
2016155299.tif 000013
【図１２】
2016155299.tif 000014
【図１３】
2016155299.tif 000015